(57)【要約】　　　（修正有）【課題】小さな力で安定に木材を四つ割りすることが可能な薪割機を提供する。【解決手段】木材１７を後方から前方へ軸方向に押圧する押圧部１３と、木材１７の前方に配置された縦刃３９及び横刃４０とを備え、縦刃３９及び横刃４０に押し当てて木材１７を四つ割りにする薪割機において、縦刃３９の上端部３９Ａがその下端部よりも木材側１７に突出し、横刃４０の両端部４０Ａ，４０Ａが、木材１７側に突出し、木材１７を載置する底板３６の先端部３８が、下方に傾斜を有し、縦刃３９及び横刃４０のいずれか一方が、他方よりも前方に配置されていることを特徴とする薪割機。【選択図】図１
2004136473.tif 000002
【特許請求の範囲】
【請求項１】
木材（１７）を後方から前方へ軸方向に押圧する押圧部（１３）と、
木材（１７）の前方に配置された縦刃（３９）及び横刃（４０）とを備えた薪割機において、
縦刃（３９）の上端部（３９Ａ）がその下端部よりも木材（１７）側に突出している
ことを特徴とする薪割機。
【請求項２】
木材（１７）を後方から前方へ軸方向に押圧する押圧部（１３）と、
木材（１７）の前方に配置された縦刃（３９）及び横刃（４０）とを備えた薪割機において、
横刃（４０）の両端部（４０Ａ，４０Ａ）が、木材側（１７）に突出している
ことを特徴とする薪割機。
【請求項３】
木材（１７）を後方から前方へ軸方向に押圧する押圧部（１３）と、
木材（１７）の前方に配置された縦刃（３９）及び横刃（４０）とを備えた薪割機において、
木材（１７）を載置する底板（３６）の先端部（３８）が、下方に傾斜を有している
ことを特徴とする薪割機。
【発明の詳細な説明】
【０００１】
【発明の属する技術分野】
本発明は、木材を四つ割りにする薪割機に関する。
【０００２】
【従来の技術】
油圧シリンダによって木材を押し出し、その前方に設けられた刃によって、木材を四つ割りにする、薪割機が知られている（例えば特許文献１、２参照）。
これらの薪割機においては、油圧シリンダによって木材の後部を押圧し、前方に設けられた、縦刃と横刃とからなる十字型の割り刃に押し当てる。このとき、木材の端面はまず縦刃に当接し、縦の割れ目を入れられる。次に横刃に当接し、横の割れ目を入れられる。そして、油圧シリンダをなおも進めることにより、木材を四つ割りにしている。
【０００３】
【特許文献１】
特公平５−４７３６８号公報（第１図、第２図）
【特許文献２】
実開平７−４２６８６号公報（第１図、第２図、第７図）
【０００４】
【発明が解決しようとする課題】
しかしながら、前記従来技術には、次に述べるような問題がある。
即ち、従来技術に係る割り刃は、縦横ともに、木材の軸方向に対して略垂直に設置されており、その刃渡りが端面に一度に当接するようになっている。そのため、木材に当接する刃の面積が大きく、木材に割れ目を入れるのに、大きな力を要するという問題がある。
【０００５】
また、割れ目を入れた後、油圧シリンダによって木材を前方に進めていく際に、木材の進行方向が、割り刃から逃げるように変化することがある。例えば特許文献１においては、これを避けるために芯出し板を設けているが、木材を押す力は非常に大きいため、芯出し板のみでは、充分に進行方向のずれを防止できない場合がある。その結果、割られた木材の大きさが不揃いとなったり、意図したように４分割されなかったりして、再度割り加工を施さなければならないような場合もある。
【０００６】
また、木材に割れ目を入れた後、油圧シリンダによって木材を前方に進めていく際に、割れた木材の下半分が、横刃と木材を載置する底板との間に挟まることがある。その結果、木材を前方に進めるのに大きな力を要したり、無理に進めた挙げ句に、横刃が破損したりしてしまうこともある。
【０００７】
本発明は、上記の問題に着目してなされたものであり、小さな力で安定に木材を四つ割りすることが可能な薪割機を提供することを目的としている。
【０００８】
【課題を解決するための手段、作用及び効果】
上記の目的を達成するために、本発明は、
木材を後方から前方へ軸方向に押圧する押圧部と、
木材の前方に配置された縦刃及び横刃とを備えた薪割機において、
縦刃の上端部がその下端部よりも木材側に突出している。
これにより、木材が縦刃の上端部によって下方に押しつけられるので、木材が縦刃から逃げることが少なく、小さな力で縦方向の割りが入りやすくなる。また、縦刃が木材に斜めに当たるので、縦刃の断面積が小さくなって面圧が大きくなり、小さな力で縦方向の割りが入りやすくなる。
【０００９】
また本発明は、
木材を後方から前方へ軸方向に押圧する押圧部と、
木材の前方に配置された縦刃及び横刃とを備えた薪割機において、
横刃の両端部が、木材側に突出している。
これにより、木材が左右両側から押さえられるので、木材が横刃から逃げることが少なく、小さな力で横方向の割りが入りやすくなる。また、横刃が木材に斜めに当たるので、横刃の断面積が小さくなって面圧が大きくなり、小さな力で横方向の割りが入りやすくなる。
【００１０】
また本発明は、
木材を後方から前方へ軸方向に押圧する押圧部と、
木材の前方に配置された縦刃及び横刃とを備えた薪割機において、
木材を載置する底板の先端部が、下方に傾斜を有している。
これにより、横刃によって上下に分断された木材が下方に逃げるので、横刃と底板との間に挟まったり、横刃を損傷したりすることが少ない。
【００１１】
また本発明は、
薪割機において、
縦刃及び横刃のいずれか一方が、他方よりも前方に配置されている。
これにより、縦と横とを片方ずつ割るので、一度に縦と横とを割るのに比べて、小さな力で木材を割ることができる。
【００１２】
【発明の実施の形態】
以下、図を参照しながら、本発明に係る実施形態を詳細に説明する。
図１に、実施形態に係る薪割機１１の斜視図を示す。図１において、薪割機１１は、全体を支持するフレーム１４と、出力を生みだす駆動部１２と、駆動部１２の出力によって木材１７を押圧する押圧部１３と、押圧部１３に押された木材１７を設置してその前後の動きを導く木材受け部１５と、木材１７を縦割りにする割り刃部１６とを備えている。尚、駆動部１２のある側を後方、割り刃部１６のある側を前方とする。
【００１３】
フレーム１４は、前後方向に長い形状となっており、その後部両側には、車輪２１，２１を備えている。２２は、薪割機１１をクレーンで吊り上げて運搬するときに、クレーンの吊り具を引っかける吊り孔である。また、フレーム１４の先端下部には、スタンド２３を備えており、先端部を持ち上げてスタンド２３を地面から浮かせることにより、短い距離であれば、人手で運搬が可能となっている。また、車両等で牽引することもできる。
【００１４】
駆動部１２は、燃料タンク２４と、エンジン２５と、エアクリーナ２６と、マフラー２７とを備えている。エンジン２５から取り出された動力は、カップリング２８を介して押圧部１３の油圧ポンプ２９に伝えられ、これを駆動する。
【００１５】
油圧ポンプ２９が吐出した作動油は、油圧配管３０を介して油圧バルブ３１に運ばれる。油圧バルブ３１には、操作レバー３２が接続されており、その動作に基づいて開閉することにより、押圧部１３の油圧シリンダ３３を前後動させる。
３４は、作動油を溜めておく作動油タンクである。
【００１６】
油圧シリンダ３３の先端部には、木材１７を押す当て板３５が付設されている。エンジン２５の出力によって駆動される油圧シリンダ３３は、矢印２０に示すように、木材受け部１５に沿って前後に摺動する。木材受け部１５は、木材１７を載置する底板３６と、その左右に斜めに設けられ、木材１７が転落するのを防止するとともに、その前後方向の動きを助ける受け板３７とを備えている。
【００１７】
図２に、フレーム１４の先端部３８近傍の、側面図（図１中矢印Ａ方向）を示す。また、図３に、フレーム１４の先端部３８近傍の、平面図（図１中矢印Ｂ方向）を示す。
底板３６の先端部３８近傍は、下方に傾斜している（図２参照）。フレーム１４には、鉛直方向に屹立した縦刃３９が、溶接によって固着され、先端部３８の上に突出している。また、縦刃３９には、略水平の横刃４０が、ボルト４９，４９によって固定されている（図３参照）。縦刃３９には、ボルト４９，４９を通すボルト孔５０が複数設けられ、横刃４０の高さは、可変となっている。
【００１８】
図２に示すように、縦刃３９は、上端部３９Ａが後方に突き出した、フの字のような形状となっている。
また、横刃４０は図３に示すように、両端部４０Ａ，４０Ａが後方に突き出して中央部が引っ込んだ、Ｍの字のような形状となっている。そして、縦刃３９の上端部３９Ａが、横刃４０の両端部４０Ａ，４０Ａよりも、後方に突出するように設置されている。
【００１９】
底板３６の下方には、棒状のガイドバー４１が底板３６に略平行に設置されている。ガイドバー４１の先端部は、フレーム１４に固定されたブラケット４２の孔に、前後方向に摺動自在に挿入されている。ガイドバー４１の基端部は、操作レバー３２の下端部に、ピン４３によって回動自在に固定されている。
【００２０】
ガイドバー４１の先端部近傍及び後端部近傍には、前後ストッパ４４，４６が、それぞれ図示しないセットスクリュー（イモネジ）によって固定されている。前ストッパ４４の後方及び後ストッパ４６の前方には、それぞれ前後スプリング４５，４７が固定されている。
また、前後ストッパ４４，４６の間には、当て板３５に固定され、油圧シリンダ３３の伸縮に伴って前後動する摺動部材４８が、ガイドバー４１に摺動自在に付設されている。操作レバー３２が中立位置にあって、油圧シリンダ３３が短縮状態にある場合には、摺動部材４８は後ストッパ４６の近傍にある。
【００２１】
以下、作用について説明する。
木材１７は、軸方向に例えば長さ１ｍ程度に予めカットされたものを、人手やクレーン等で運搬して、底板３６上に搭載する。
操作レバー３２を、中立位置から前方に倒すと、油圧バルブ３１が動作して油圧シリンダ３３を前方に伸長させ、当て板３５を介して木材１７を前方へ押す。このとき操作レバー３２は、一度前方に倒すと、そのままの姿勢を保つようになっている。これにより、操作レバー３２に回転自在に固定されたガイドバー４１は、後方へ動くことになる。
木材１７は、受け板３７に沿って前方へ移動する。木材１７の前部端面は、まず最も後方へ突出している縦刃３９の上端部３９Ａに当接し、押されて縦方向に割れ目を生じる。なおも油圧シリンダ３３が伸長することにより、木材１７の端面は、軸方向に沿って縦に二つ割りとなっていく。
【００２２】
このとき、縦刃３９の上端部３９Ａが突出しているために、木材１７は下方の底板３６へ押しつけられる。従って、木材１７は縦刃３９と底板３６とによって上下から押さえられて、縦割りにしようとする力から逃げることができず、少ない力で確実に縦割りにされる。
しかも、縦刃３９の刃渡り全体が、木材１７の端面に垂直に当たるのではなく、まず縦刃３９Ａの上端部３９Ａのみが当たるので、端面に当たる縦刃３９の断面積が小さくなって面圧が大きくなり、小さな力で割れ目を入れることができる。そして、次第にその割れ目を下方へ広げていくようになるので、小さな力で割ることが可能である。
【００２３】
縦に割れ目を入れられた木材１７は、なおも前方に押され、横刃４０に当接する（図２、図３参照）。これにより、木材１７は横方向にも割れ目を入れられ、四つ割りとなる。このとき、横刃４０は、上述したように両端部４０Ａ，４０Ａが後方に突出しているので、木材１７端部は、左右両側から、割れ目を入れられていく。
【００２４】
このとき、木材１７は横刃４０の両端部４０Ａ，４０Ａによって、左右両側から押さえつけられるので、縦刃３９の場合と同様に割る力が逃がされることがなく、少ない力で確実に横割りにされる。
また、横刃４０が縦刃３９よりも後方にあるので、まず縦割りにした後、横割りにされる。従って、縦割りと横割りとを、同時に行なおうとする場合に比べて、小さな力で木材１７に割れ目が入るため、小さな押圧力の油圧シリンダ３３で、四つ割りが可能である。
【００２５】
さらには、縦刃３９のときと同様に、横刃４０の刃渡り全体が木材１７の端面に垂直に当たるのではなく、まず左右両端部４０Ａ，４０Ａのみが当たる。これにより、端面に当たる横刃４０の断面積が小さくなって面圧が大きくなり、小さな力で割れ目を入れることができる。そして、次第にその割れ目を横方向へ広げていくようになるので、小さな力で割ることが、可能である。
【００２６】
しかも、底板３６の先端部３８は、下方に傾いている（図２参照）。従って、水平に割られた木材１７の下半分は、底板３６の先端部３８に導かれて下方に滑り落ちる。これにより、下半分が横刃４０と底板３６との間に挟まって、油圧シリンダ３３が動かなくなったり、横刃４０を損傷するようなことも少ない。
また、横刃４０は、その上面が略水平になっており、下方に傾斜するように刃が形成されている。これにより、割られた木材１７の下半分が、横刃４０を押し上げることが少ない。
【００２７】
木材１７は、油圧シリンダ３３の伸長に伴い、縦に四つに分断される。このとき、摺動部材４８はガイドバー４１に沿って前方に進んでおり、木材１７がすべて分断された後に、前ストッパ４４の前スプリング４５に衝突する。これにより、摺動部材４８が前ストッパ４４を介して、ガイドバー４１を前方に押すことになる。その結果、操作レバー３２が中立位置に戻り、油圧バルブ３１の作動が停止して、油圧シリンダ３３は伸長した状態で停止する。
【００２８】
そして、作業者が操作レバー３２を後方に倒すと、油圧バルブ３１が作動して油圧シリンダ３３が、短縮動作に入る。これに伴い、摺動部材４８は当て板３５の後退に伴ってガイドバー４１に沿って後退する。そして、後ストッパ４６の後スプリング４７に衝突し、後ストッパ４６を介してガイドバー４１を後方に押すことになる。その結果、操作レバー３２が中立位置に戻り、油圧バルブ３１の作動が停止して、油圧シリンダ３３は短縮した状態で停止する。
そして、新たな木材１７を木材受け部１５に供給することにより、割り作業を再開できる。
【００２９】
尚、上記実施形態においては、押圧部として、木材１７を油圧シリンダ３３によって押すように説明したが、これに限られるものではなく、例えば電動等の手段で押してもよい。
【図面の簡単な説明】
【図１】第１実施形態に係る薪割機の斜視図。
【図２】フレームの先端部近傍の側面図
【図３】フレームの先端部近傍の平面図。
【符号の説明】
１１：薪割機、１２：駆動部、１３：押圧部、１４：フレーム、１５：木材受け部、１６：割り刃部、１７：木材、２０：木材の摺動を示す矢印、２１：車輪、２２：吊り孔、２３：スタンド、２４：燃料タンク、２５：エンジン、２６：エアクリーナ、２７：マフラー、２８：カップリング、２９：油圧ポンプ、３０：油圧配管、３１：油圧バルブ、３２：操作レバー、３３：油圧シリンダ、３４：作動油タンク、３５：当て板、３６：底板、３７：受け板、３８：底板の先端部、３９：縦刃、３９Ａ：縦刃上端部、４０：横刃、４０Ａ：横刃両端部、４１：ガイドバー、４２：ブラケット、４３：ピン、４４：前ストッパ、４５：前スプリング、４６：後ストッパ、４７：後スプリング、４８：摺動部材、４９：ボルト。
【図１】
2004136473.tif 000003
【図２】
2004136473.tif 000004
【図３】
2004136473.tif 000005